(57)【特許請求の範囲】
【請求項１】
無線送受信ユニット（ＷＴＲＵ：Wireless Transmit Receive Unit）であって、
ランダムアクセスプリアンブルを送信するように構成された少なくとも１つのプロセッサを備え、
前記少なくとも１つのプロセッサは、前記ランダムアクセスプリアンブルに応答して、物理下りリンク制御チャンネル（ＰＤＣＣＨ：Physical Downlink Control Channel）に関連付けられた制御チャンネル要素（ＣＣＥ：Control Channel Elements）のセットのうちのサブセットを検索するように構成され、前記サブセットは、前記セットの全てのＣＣＥでないこと、
前記少なくとも１つのプロセッサは、前記ＷＴＲＵのランダムアクセスプリアンブル送信に関連付けられたランダムアクセス無線ネットワーク一時識別子（ＲＡ−ＲＮＴＩ：Random Access Radio Network Temporary Identifier）によりマスクされた循環冗長符号（ＣＲＣ：Cyclic Redundancy Check）をマスク解除して、前記検索されたＣＣＥのサブセットの誤り検査を行うように構成され、
前記少なくとも１つのプロセッサは、前記検索されたサブセットの第１のＣＣＥの制御情報に基づいて物理下りリンク共有チャンネル（ＰＤＳＣＨ：Physical Downlink Shared Channel）を処理するように構成され、および
前記少なくとも１つのプロセッサは、前記処理されたＰＤＳＣＨからランダムアクセス応答を回復するように構成されていることを特徴とするＷＴＲＵ。
【請求項２】
前記ＣＣＥのサブセットを検索することは、前記ＣＣＥのブラインド復号を含むことを特徴とする請求項１に記載のＷＴＲＵ。
【請求項３】
前記少なくとも１つのプロセッサは、前記第１のＣＣＥに関連付けられたＤＣＩフォーマットを判定するように構成されていることを特徴とする請求項１に記載のＷＴＲＵ。
【請求項４】
前記少なくとも１つのプロセッサは、前記ランダムアクセスプリアンブル送信から時間オフセットにより前記ＣＣＥのサブセットを検索するように構成されていることを特徴とする請求項１に記載のＷＴＲＵ。
【請求項５】
無線送受信ユニット（ＷＴＲＵ：Wireless Transmit Receive Unit）により、ランダムアクセスプリアンブルを送信すること、
前記ランダムアクセスプリアンブルに応答して、前記ＷＴＲＵにより、物理下りリンク制御チャンネル（ＰＤＣＣＨ：Physical Downlink Control Channel）に関連付けられた制御チャンネル要素（ＣＣＥ：Control Channel Elements）のセットのうちのサブセットを検索することであって、前記サブセットは、前記セットの全てのＣＣＥでないこと、
前記ＷＴＲＵにより、前記ＷＴＲＵのランダムアクセスプリアンブル送信に関連付けられたランダムアクセス無線ネットワーク一時識別子（ＲＡ−ＲＮＴＩ：Random Access Radio Network Temporary Identifier）によりマスクされた循環冗長符号（ＣＲＣ：Cyclic Redundancy Check））をマスク解除して、前記検索されたＣＣＥのサブセットの誤り検査を行うこと、
前記ＷＴＲＵにより、前記検索されたサブセットの第１のＣＣＥの制御情報に基づいて物理下りリンク共有チャンネル（ＰＤＳＣＨ：Physical Downlink Shared Channel）を処理すること、および
前記ＷＴＲＵにより、前記処理されたＰＤＳＣＨからランダムアクセス応答を回復すること
を備えたことを特徴とする方法。
【請求項６】
前記ＣＣＥのサブセットを検索することは、前記ＣＣＥのブラインド復号を含むことを特徴とする請求項５に記載の方法。
【請求項７】
前記第１のＣＣＥに関連付けられたＤＣＩフォーマットを判定することをさらに備えたことを特徴とする請求項５に記載の方法。
【請求項８】
前記ＣＣＥのサブセットを検索することは、前記ランダムアクセスプリアンブル送信から時間オフセットすることを特徴とする請求項５に記載の方法。
【請求項９】
無線送受信ユニット（ＷＴＲＵ：Wireless Transmit Receive Unit）からランダムアクセスプリアンブルを受信するように構成された少なくとも１つのプロセッサを備え、
前記少なくとも１つのプロセッサは、前記ランダムアクセスプリアンブルの受信に応答して、前記ＷＴＲＵのランダムアクセスプリアンブルに関連付けられたランダムアクセス無線ネットワーク一時識別子（ＲＡ−ＲＮＴＩ：Random Access Radio Network Temporary Identifier）によりマスクされた循環冗長符号（ＣＲＣ：Cyclic Redundancy Check）とともに制御情報を送信するように構成され、
前記ＲＡ−ＲＮＴＩによりマスクされた前記ＣＲＣとともに前記制御情報は、物理下りリンク制御チャンネル（ＰＤＣＣＨ：Physical Downlink Control Channel）に関連付けられた制御チャンネル要素（ＣＣＥ：Control Channel Elements）のセットのうちのサブセットにおいて送信され、前記サブセットは、前記セットの全てのＣＣＥでないこと、および
前記少なくとも１つのプロセッサは、前記制御情報に関連付けられた物理下りリンク共有チャンネル（ＰＤＳＣＨ：Physical Downlink Shared Channel）上で前記ＷＴＲＵにランダムアクセス応答を送信するように構成されていることを特徴とする基地局。
【請求項１０】
前記少なくとも１つのプロセッサは、前記ランダムアクセスプリアンブルの受信から時間オフセットにより前記制御情報を送信するように構成されていることを特徴とする請求項９に記載の基地局。
【発明の詳細な説明】
【技術分野】
【０００１】
本願は、無線通信に関する。
【背景技術】
【０００２】
無線通信におけるＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびＬＴＥ（Ｌｏｎｇ  Ｔｅｒｍ  Ｅｖｏｌｕｔｉｏｎ）の目的は、高いデータレート、低レイテンシーで、システム容量およびカバレッジの改良されたパケット最適化システムに向けて無線アクセスネットワークを開発することである。これらの目標を達成するために、無線ネットワークアーキテクチャと並んで無線インターフェイスの発展も検討されている。例えば、現在３ＧＰＰ（３ｒｄ  Ｇｅｎｅｒａｔｉｏｎ  Ｐａｒｔｎｅｒｓｈｉｐ  Ｐｒｏｊｅｃｔ）通信システムにおいて使用される、ＣＤＭＡ（Ｃｏｄｅ  Ｄｉｖｉｓｉｏｎ  Ｍｕｌｔｉｐｌｅ  Ａｃｃｅｓｓ）を使用することの代わりに、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）およびＦＤＭＡ（Ｆｒｅｑｕｅｎｃｙ  Ｄｉｖｉｓｉｏｎ  Ｍｕｌｔｉｐｌｅ  Ａｃｃｅｓｓ）が、それぞれ下りリンクおよび上りリンク送信において使用されるべく提案されているエアインターフェイス技術である。もう一つの変化は、全パケット交換サービスを適用することを含み、これは、すべての音声コールがパケット交換を基になされることになることを意味する。
【発明の概要】
【発明が解決しようとする課題】
【０００３】
パケット交換通信は、ランダムアクセスチャンネル上にて動作する。ＬＴＥの物理チャンネル仕様は、ランダムアクセスバーストが７２のサブキャリア（６つのリソースブロック）に対応する帯域幅を占有することを規定する。６つのリソースブロックのセットは、１つの時間−周波数ランダムアクセスリソース、または代替的に１つのＬＴＥ  ＰＲＡＣＨ（Ｐｈｙｓｉｃａｌ  Ｒａｎｄｏｍ  Ａｃｃｅｓｓ  ＣＨａｎｎｅｌ）のリソース群と称される。システムの柔軟性のために、１つの無線フレーム（１０ｍｓ）中に構成設定可能な数の時間−周波数ランダムアクセスリソースを有することは、システムの帯域幅およびランダムアクセス負荷に依存する。いずれの追加的に構成される時間−周波数ランダムアクセスリソースの存在は、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）に明示的にシグナルされる必要がある。
【０００４】
１つの時間−周波数ランダムアクセスリソースにおいてアクセスに利用可能な複数のランダムアクセスプリアンブルがあることがあり、ある時間ウィンドウにおいて応答を期待するランダムアクセスの数は、大きく変動することがある。ｅＮＢ（ｅｖｏｌｖｅｄ  Ｎｏｄｅ−Ｂ：発展型ノードＢ）が、１つのＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｔｙ：ランダムアクセス無線ネットワーク一時識別子）につき１つのトランスポートブロックにおいてすべての応答を常にシグナルする必要がある場合、結果として得られるトランスポートブロックの大きさは、ランダムアクセス応答のスケジューリングの柔軟性を減らすことがある。
【課題を解決するための手段】
【０００５】
ＲＡＣＨ（Ｒａｎｄｏｍ  Ａｃｃｅｓｓ  ＣＨａｎｎｅｌ：ランダムアクセスチャンネル）を用いてランダムアクセスをサポートするための方法および装置が開示される。複数のＷＴＲＵ（Ｗｉｒｅｌｅｓｓ  Ｔｒａｎｓｍｉｔ  Ｒｅｃｅｉｖｅ  Ｕｎｉｔ：無線送受信ユニット）の各々が、上りリンクＲＡＣＨプリアンブル上にてランダムアクセス要求を基地局に送る。基地局によって送られるＲＡＣＨ  Ｒｅｓｐｏｎｓｅ（ＲＡＣＨ応答）は、各ＷＴＲＵによって受信される。ＲＡＣＨ  Ｒｅｓｐｏｎｓｅの制御信号部分は、対応するデータ部分におけるＲＡＣＨ  Ｒｅｓｐｏｎｓｅメッセージの位置を示す。ＲＡＣＨ  Ｒｅｓｐｏｎｓｅ制御情報は、単一のまたは複数のＣＣＥ（Ｃｏｎｔｒｏｌ  Ｃｈａｎｎｅｌ  Ｅｌｅｍｅｎｔ：制御チャンネル要素）によって定義され、ここで各ＷＴＲＵは、その一意なＲＡＣＨ  Ｒｅｓｐｏｎｓｅ制御信号を提供するために少なくとも１つのＣＣＥにおいて割り振られる。ＷＴＲＵは、基地局によって送られた複数のＣＣＥのうちからその意図したＣＣＥを特定するように構成される。
【０００６】
添付された図面に関連して例として与えられる以下の記述から、より詳細な理解を得ることができる。
【図面の簡単な説明】
【０００７】
【図１】ランダムアクセスを用いた無線通信ネットワークを示す図である。
【図２】ＲＡＣＨ  Ｒｅｓｐｏｎｓｅ制御チャンネルおよびデータチャンネルのフォーマットを示す図である。
【図３】ＲＡＣＨ  Ｒｅｓｐｏｎｓｅ制御チャンネルの代替のフォーマットを示す図である。
【図４】ＲＡＣＨ  Ｒｅｓｐｏｎｓｅを受信するためのＷＴＲＵ構成を示す図である。
【発明を実施するための形態】
【０００８】
これ以後参照されると、専門用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定ではなく、ＵＥ（Ｕｓｅｒ  Ｅｑｕｉｐｍｅｎｔ：ユーザー機器）、移動局、固定または移動の加入者ユニット、ページャー、セルラー電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の任意のタイプのユーザーデバイスを含む。これ以後参照されると、専門用語「基地局（ｂａｓｅ  ｓｔａｔｉｏｎ）」は、限定ではなく、ノードＢ（Ｎｏｄｅ−Ｂ）、サイトコントローラー、ＡＰ（Ａｃｃｅｓｓ  Ｐｏｉｎｔ：アクセスポイント）、または無線環境において動作する能力のある他の任意のタイプのインターフェイスデバイスを含む。
【０００９】
ここで、用語「ＲＡＣＨ  Ｒｅｓｐｏｎｓｅ（ＲＡＣＨ応答）」はＡＩＣＨ（Ａｃｃｅｓｓ  Ｉｎｄｉｃａｔｉｏｎ  ＣＨａｎｎｅｌ：アクセス指示チャンネル）メッセージと互いに置き換え可能に使用される。
【００１０】
図１は無線通信ネットワーク１００を示し、基地局１０１が、複数のＷＴＲＵ（Ｗｉｒｅｌｅｓｓ  Ｔｒａｎｓｍｉｔ  Ｒｅｃｅｉｖｅ  Ｕｎｉｔ：無線送受信ユニット）１０２〜１０４にランダムアクセスを許可する。ＷＴＲＵ１０２〜１０４によって送られるランダムアクセス要求１０６〜１０８に応じてランダムアクセスリソース割り振りを許可するＲＡＣＨ  Ｒｅｓｐｏｎｓｅ信号１０５が、ＷＴＲＵ１０２〜１０４に送られる。ランダムアクセス要求１０６〜１０８は、同じランダムアクセスバーストからのＲＡＣＨプリアンブル群において送られる。ＷＴＲＵ１０２〜１０４の１つによるランダムアクセス要求ごとに、単一の時間−周波数ランダムアクセスリソースが許可される。あるいはまた、ランダムアクセス要求ごとに、複数の時間−周波数ランダムアクセスリソースが許可されることがある。
【００１１】
図２は、第１の実施形態による、制御チャンネル２０２およびデータチャンネル２０３を備えるＲＡＣＨ  Ｒｅｓｐｏｎｓｅフォーマット２０１を示す。例として、制御チャンネル２０２は、ＰＤＣＣＨ（Ｐｈｙｓｉｃａｌ  Ｄｏｗｎｌｉｎｋ  Ｃｏｎｔｒｏｌ  ＣＨａｎｎｅｌ：物理下りリンク制御チャンネル）であることができ、データチャンネル２１２は、ＰＤＳＣＨ（Ｐｈｙｓｉｃａｌ  Ｄｏｗｎｌｉｎｋ  Ｓｈａｒｅｄ  ＣＨａｎｎｅｌ：物理下りリンク共有チャンネル）であることができる。制御チャンネル２０２は、共通制御部分２０３を含み、そこでは複数のＣＣＥ（Ｃｏｎｔｒｏｌ  Ｃｈａｎｎｅｌ  Ｅｌｅｍｅｎｔ：制御チャンネル要素）、ＣＣＥ−０〜ＣＣＥ−Ｎが、ＷＴＲＵ１０２〜１０４に対して意図されたＲＡＣＨ  Ｒｅｓｐｏｎｓｅのために定義される。ＣＣＥの各セットは、データチャンネル２１２上にてトランスポートブロックＴＢ−０〜ＴＢ−Ｎ中に見出されるＲＡＣＨ  Ｒｅｓｐｏｎｓｅリソース割り振りに各それぞれのＷＴＲＵを仕向けるための位置情報を収容する。
【００１２】
ＣＣＥはまた、データチャンネル２０３上のＲＡＣＨ  Ｒｅｓｐｏｎｓｅメッセージを復号化するために使用されるべきトランスポートフォーマットおよびＭＣＳ（Ｍｏｄｕｌａｔｉｏｎ  ａｎｄ  Ｃｏｄｉｎｇ  Ｓｃｈｅｍｅ：変調および符号化スキーム）などの、トランスポートフォーマット情報を含むことができる。
【００１３】
第１の実施形態において、ＷＴＲＵ１０２〜１０４は、共通制御部分２０３の中で共通制御要素ＣＣＥ−０〜ＣＣＥ−Ｎのブラインド復号化を行い、意図するＲＡＣＨ  Ｒｅｓｐｏｎｓｅ制御情報を有するそれらのそれぞれのＣＣＥを検索する。共通制御信号部分２０３の開始位置は、予め定義することができる。例えば図２に示されるように、開始位置をＣＣＥ−０に設定することができる。必要なＲＡＣＨ  Ｒｅｓｐｏｎｓｅリソース群（すなわち共通制御要素の数）は、ランダムアクセス応答を要求するＷＴＲＵの数に基づき変動することがある。ＣＣＥの最大数は、それに応じて指定することができる。
【００１４】
図３は、開始点がＣＣＥ−０として定義されることに対する代替の実施形態を示し、ここで、ＣＣＥ−ＮおよびＣＣＥ−Ｍの間のＬ個のＣＣＥのサブセットを、ＲＡＣＨ  Ｒｅｓｐｏｎｓｅ共通制御部分３０３のために割り振ることができる。例えば、図３に示されるように、ＣＣＥ−Ｎ〜ＣＣＥ−Ｎ＋Ｌを共通制御部分３０３のために割り振ることができる。あるいはまた、共通制御部分３０３を、ＣＣＥ−Ｍ−Ｌ〜ＣＣＥ−Ｍに、またはＣＣＥの他の任意のサブセットに割り振ることもできる。ＲＡＣＨ  Ｒｅｓｐｏｎｓｅ共通制御部分３０３の開始位置、ＣＣＥの数、および／またはＬ個のＣＣＥのサブセットは、ＢＣＨ（Ｂｒｏａｄｃａｓｔ  ＣＨａｎｎｅｌ：ブロードキャストチャンネル）ＳＩＢ（Ｓｙｓｔｅｍ  Ｉｎｆｏｒｍａｔｉｏｎ  Ｂｌｏｃｋ：システム情報ブロック）の１つにおいてＷＴＲＵ１０２〜１０４により受信することができる。
【００１５】
図４は、基地局４１１からのＲＡＣＨ  Ｒｅｓｐｏｎｓｅ１０５を受信し処理するように構成されたＷＴＲＵ４０１を示す。基地局４１１にて、ＣＲＣ（Ｃｙｃｌｉｃ  Ｒｅｄｕｎｄａｎｃｙ  Ｃｏｄｅ：循環冗長符号）発生器４１４は、ＣＣＥ制御情報４２０上にビット群のセットとして加えられるＣＲＣを計算する。このＣＲＣは、最初にマスク符号化器４１３にてＩＤ符号によりマスクされる。マスクされたＣＲＣは、次にＣＣＥ情報４２０に加えられる。例として、１６ビットのＣＲＣ符号は１６ビットのＩＤによりマスクし、次に送信機４１２での送信のために制御情報４２０上に符号化することができる。
【００１６】
ＷＴＲＵ４０１にて、受信機４０２は、受信したＲＦ  ＲＡＣＨ  Ｒｅｓｐｏｎｓｅ信号１０５を復調し、ブラインド復号化器４０３は、例えば、ＦＥＣ（Ｆｏｒｗａｒｄ  Ｅｒｒｏｒ  Ｃｏｒｒｅｃｔｉｏｎ：前方誤り訂正）符号またはビタビ（Ｖｉｔｅｒｂｉ）符号を使用することによって復調した受信信号１０５を処理する。ＣＲＣマスク解除器４０４は、ＩＤ符号に従ってそれらのマスクを解除することによって、ＣＲＣビットを処理する。次に、ＣＲＣ復号化器４０５は、マスクを解除したＣＲＣビットを復号化し、ＷＴＲＵ４０１が受信したＲＡＣＨ  ＲｅｓｐｏｎｓｅのＣＣＥ群に関して誤り検査を行うことを可能にする。ブラインド復号化器４０３、ＣＲＣマスク解除器４０４、およびＣＲＣ復号化器４０５は、単一のプロセッサーとして、または分離した個々のプロセッサーとして実施することができる。
【００１７】
ＩＤ符号は、Ｇｒｏｕｐ  ＩＤ（グループＩＤ）またはＷＴＲＵ特有ＩＤであることができる。Ｇｒｏｕｐ  ＩＤは、基地局４１１によってサービスされているＷＴＲＵのセットが共通ＲＡＣＨ  Ｒｅｓｐｏｎｓｅを受信するときに使用される。ＩＤ符号は、Ｇｒｏｕｐ  ＩＤを他のＷＴＲＵと共有している場合でも、１つのＷＴＲＵにアドレスされたＲＡＣＨ  Ｒｅｓｐｏｎｓｅを識別するためにそのＷＴＲＵに割り当てられた一時的ＩＤであることができる。例えば、一時的ＩＤは、ＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｔｙ：ランダムアクセス無線ネットワーク一時識別子）であることがある。ＩＤ符号は、上位層のシグナリングを介してＷＴＲＵ４０１が最初にセルを獲得し基地局４１１のそのセルへキャンプオンするときに他のシステムパラメータと共にＷＴＲＵ４０１によって受信される。
【００１８】
あるいはまた、固定の時間−周波数リソース割り振りを、ＲＡＣＨ  Ｒｅｓｐｏｎｓｅにおけるランダムアクセス許可（ｇｒａｎｔ）制御に対応するＣＣＥに専用化することができる。この固定のリソース割り振りは、ＰＨＩＣＨ（Ｐｈｙｓｉｃａｌ  ＨＡＲＱ  Ｉｎｄｉｃａｔｏｒ  ＣＨａｎｎｅｌ：物理ＨＡＲＱ指示子チャンネル）位置などの、他の物理チャンネル割り振りから独立であることができ、それらの他の物理チャンネルの構成についてのいずれの知識を有する必要性を回避する。例えば、ＲＡＣＨ  Ｒｅｓｐｏｎｓｅ制御に専用の固定の時間−周波数リソース割り振りは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ：物理制御フォーマット指示子チャンネル）などの、特定のタイプの物理チャンネルの直後の位置に割り振ることができる、
より良い性能およびスケジューリングの柔軟性のために、ＣＣＥは、サブフレームの制御部分の内で時間−周波数領域上に拡散することができる。ＷＴＲＵに特有のＲＡＣＨ  Ｒｅｓｐｏｎｓｅ制御を提供するために、ＲＡＣＨプリアンブルにおけるランダムアクセス要求と、専用の時間−周波数リソース割り振りとの間の１対１の関連付け（例えば時間オフセット）を使用することができる。
【００１９】
第２の実施形態において、複数のＲＡＣＨ  Ｒｅｓｐｏｎｓｅがいくつかの異なるＷＴＲＵの各々に送られる。第１の代替形態において、各ＲＡＣＨ  Ｒｅｓｐｏｎｓｅ制御部分は、１つのＷＴＲＵ  ＲＡＣＨ  Ｒｅｓｐｏｎｓｅデータ部分に対するリソース割り振りおよびトランスポートフォーマット情報のみを収容する。別の代替形態において、各ＲＡＣＨ  Ｒｅｓｐｏｎｓｅは、１つのＷＴＲＵに対する制御およびデータ部分の両方を一緒に組み合わせる。ＲＡ−ＲＮＴＩは、各ＲＡＣＨ  Ｒｅｓｐｏｎｓｅ制御部分または組み合わされたＲＡＣＨ  Ｒｅｓｐｏｎｓｅ制御およびデータをスクランブルするために使用することができる。ＷＴＲＵは、ＲＡＣＨ  Ｒｅｓｐｏｎｓｅ制御部分に基づいて、ＲＡＣＨ  Ｒｅｓｐｏｎｓｅデータ部分のパートがそのために意図されていることをＷＴＲＵが知っているので、随意的に、ＲＡ−ＲＮＴＩはＲＡＣＨ  Ｒｅｓｐｏｎｓｅデータ部分をスクランブルするために使用することができる。
【００２０】
異なるＷＴＲＵの能力に基づき、異なるＲＡＣＨ応答に対して異なるアンテナ構成を適用することができる。例えば、ＷＴＲＵの能力に基づき、ＭＩＭＯ（Ｍｕｌｔｉｐｌｅ−Ｉｎｐｕｔ  Ｍｕｌｔｉｐｌｅ−Ｏｕｔｐｕｔ：多入力多出力）またはＳＦＢＣ（Ｓｐａｃｅ  Ｆｒｅｑｕｅｎｃｙ  Ｂｌｏｃｋ  Ｃｏｄｉｎｇ：空間周波数ブロック符号化）を適用することができる。
【００２１】
両方の代替形態について、第１のＲＡＣＨ  Ｒｅｓｐｏｎｓｅデータ部分またはＲＡＣＨ  Ｒｅｓｐｏｎｓｅ制御部分は、合計で幾つのＲＡＣＨ  Ｒｅｓｐｏｎｓｅデータ部分またはＲＡＣＨ  Ｒｅｓｐｏｎｓｅ制御部分が、異なるＷＴＲＵに送られるべきであるかの情報を収容することができる。このことから、ＷＴＲＵ群は、それらに意図された特定のＲＡＣＨ  Ｒｅｓｐｏｎｓｅを見つけるために、それらが幾つのＲＡＣＨ  Ｒｅｓｐｏｎｓｅｓを検出する必要があるかを知る。これをするにあたって、１つのＲＡ−ＲＮＴＩに関連付けられたＷＴＲＵ群はすべてのＲＡＣＨ  Ｒｅｓｐｏｎｓｅチャンネルを監視する必要がなく、それゆえ、検出の複雑さを減少させ、電力を節約する。
【００２２】
周波数ホッピングがＲＡＣＨ  Ｒｅｓｐｏｎｓｅに採用される場合、ＲＡＣＨ  Ｒｅｓｐｏｎｓｅ制御またはデータ部分の送信のための周波数ホッピングパターンは、第１のＲＡＣＨ  Ｒｅｓｐｏｎｓｅ制御部分または組み合わされたＲＡＣＨ  Ｒｅｓｐｏｎｓｅデータおよび制御において示すことができる。（異なるＷＴＲＵに対するＭＣＳまたは電力などの）トランスポートフォーマットは、ＲＡＣＨ  Ｒｅｓｐｏｎｓｅ制御部分においてシグナルされるＲＡＣＨ  Ｒｅｓｐｏｎｓｅデータ部分について変動することがある。ＲＡＣＨ  Ｒｅｓｐｏｎｓｅ制御およびデータパートを一緒に組み合わすと、ＲＡＣＨ  Ｒｅｓｐｏｎｓｅデータ部分のリソース割り振りをシグナルする必要がない。
【００２３】
ＷＴＲＵごとのＲＡＣＨ  Ｒｅｓｐｏｎｓｅの位置は、固定するか、または時間−周波数スペクトルに亘って拡散することができる。それは標準化するか、またはＢＣＨ  ＳＩＢの１つにおいてシグナルすることができる。
【００２４】
ＲＡＣＨ  Ｒｅｓｐｏｎｓｅの第１および第２の実施形態について、ネットワークはＲＡＣＨ  Ｒｅｓｐｏｎｓｅにいずれのフォーマットを使用するべきであるかを決定することができる。使用されるべき正確なＲＡＣＨ  Ｒｅｓｐｏｎｓｅを、ＢＣＨにおいてシグナルすることができ、それゆえ、ＷＴＲＵがブラインド復号化を行う方法を知る。例えば、ＷＴＲＵは、ブラインド復号化器４０３によって検出される、ＤＣＩ（Ｄｏｗｎｌｉｎｋ  Ｃｏｎｔｒｏｌ  Ｉｎｄｉｃａｔｏｒ：下りリンク制御指示子）フォーマット符号を受信することができ、これから、ＷＴＲＵは、ＲＡＣＨ  Ｒｅｓｐｏｎｓｅ制御部分の大きさ（例えばＣＣＥの数）、および／またはサブフレーム上のＲＡＣＨ  Ｒｅｓｐｏｎｓｅ制御の開始位置を知ることができる。
【００２５】
異なるＷＴＲＵの異なるＲＡＣＨ  Ｒｅｓｐｏｎｓｅ位置は、ＷＴＲＵ  ＩＤ（例えば、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ：セル無線ネットワーク一時識別子）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動加入者識別子）、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ：国際移動機器識別子）、または他の任意のＷＴＲＵ  ＩＤ）と関連付けることができる。ＷＴＲＵ  ＩＤは、ページング情報から知ることができる。ＷＴＲＵ  ＩＤおよびそのＲＡＣＨ位置の間の関係は、予め定義することができる。このように、ＷＴＲＵはそのＲＡＣＨチャンネルをどこで探すべきかを知っている。
【００２６】
一代替形態として、ＷＴＲＵの最初のＲＡＣＨ応答位置は、ＢＣＨにおいてシグナルされるか、またはＷＴＲＵ  ＩＤおよびＲＡＣＨ位置の間の関係から導出することができ、そしてＷＴＲＵは、後続のＲＡＣＨの位置をシグナルされた第１のＲＡＣＨ  Ｒｅｓｐｏｎｓｅメッセージで得ることができる（例えば、ＷＴＲＵが第１のＲＡＣＨにて失敗し、別のＲＡＣＨを送らねばならない場合）。
【００２７】
実施形態は、ＬＴＥに関して説明されているがこれは例としての実装であり、実施形態は、ＨＳＰＡ（Ｈｉｇｈ  Ｓｐｅｅｄ  Ｐａｃｋｅｔ  Ａｃｃｅｓｓ：高速パケットアクセス）システムまたは将来の開発、および他の無線システムなどで同様のサービスおよび概念がサポートされた場合に、他の任意の無線通信システムに適用することもできることに注意するべきである。
【００２８】
実施形態
１．無線通信において複数のランダムアクセスチャンネル応答を処理するためにＷＴＲＵ（Ｗｉｒｅｌｅｓｓ  Ｔｒａｎｓｍｉｔ  Ｒｅｃｅｉｖｅ  Ｕｎｉｔ：無線送受信ユニット）によって実施される方法であって、
制御部分およびデータ部分を有するＲＡＣＨ（Ｒａｎｄｏｍ  Ａｃｃｅｓｓ  ＣＨａｎｎｅｌ：ランダムアクセスチャンネル）応答信号を受信することであって、前記データ部分がランダムアクセス割り振りを搬送し、前記制御部分が前記ランダムアクセス要求に対応するランダムアクセス割り振りに対する少なくとも１つのＲＡＣＨ応答に対応し、前記制御部分がＣＣＥ（Ｃｏｍｍｏｎ  Ｃｏｎｔｒｏｌ  Ｅｌｅｍｅｎｔ：共通制御要素）のセットを含むことであって、少なくとも１つのＣＣＥは、前記データ部分中の前記ランダムアクセス割り振りに対応することと、
前記制御部分を検索し、前記ランダムアクセス割り振りに対応する前記少なくとも１つのＣＣＥを識別することと
を備えることを特徴とする方法。
【００２９】
２．前記ＲＡＣＨ応答信号のフォーマット符号を検出することをさらに備えることを特徴とする実施形態１に記載の方法。
【００３０】
３．ＰＲＡＣＨ（Ｐｈｙｓｉｃａｌ  Ｒａｎｄｏｍ  Ａｃｃｅｓｓ  ＣＨａｎｎｅｌ：物理ランダムアクセスチャンネル）上にてランダムアクセスのためにランダムアクセス要求を基地局に送ることをさらに備えることを特徴とする先のいずれかの実施形態に記載の方法。
【００３１】
４．前記検索することの開始位置は、予め定義されることを特徴とする先のいずれかの実施形態に記載の方法。
【００３２】
５．前記ＣＣＥのセットは、ＣＣＥ−０〜ＣＣＥ−Ｎとして付番され、前記検索することの前記開始位置は、ＣＣＥ−０として予め定義されることを特徴とする実施形態４に記載の方法。
【００３３】
６．ブロードキャストチャンネル指示を介して前記制御部分の予め定義された開始位置を受信することをさらに備えることを特徴とする先のいずれかの実施形態に記載の方法。
【００３４】
７．ブロードキャストチャンネル表示を介して前記制御部分においてＣＣＥ（Ｃｏｎｔｒｏｌ  Ｃｈａｎｎｅｌ  Ｅｌｅｍｅｎｔ：制御チャンネル要素）の最大数を示す予め定義された値を受信することをさらに備えることを特徴とする先のいずれかの実施形態に記載の方法。
【００３５】
８．前記少なくとも１つのＣＣＥを識別するために前記ＲＡＣＨ  Ｒｅｓｐｏｎｓｅ信号に関しブラインド復号化を行うことをさらに備えることを特徴とする先のいずれかの実施形態に記載の方法。
【００３６】
９．ＩＤ符号を用いて前記ＲＡＣＨ  Ｒｅｓｐｏｎｓｅ信号中のＣＲＣ（Ｃｙｃｌｉｃ  Ｒｅｄｕｎｄａｎｃｙ  Ｃｏｄｅ：循環冗長符号）をマスク解除することをさらに備えることを特徴とする先のいずれかの実施形態に記載の方法。
【００３７】
１０．固定のリソース割り振りは、各ＣＣＥに専用化されることを特徴とする先のいずれかの実施形態に記載の方法。
【００３８】
１１．前記リソース割り振りは、時間−周波数領域において拡散されることを特徴とする先のいずれかの実施形態に記載の方法。
【００３９】
１２．前記リソース割り振りは、局所化されることを特徴とする実施形態１１に記載の方法。
【００４０】
１３．前記リソース割り振りは、分散されることを特徴とする実施形態１１に記載の方法。
【００４１】
１４．１対１の関連付けは、ＲＡＣＨプリアンブルおよび専用化されたリソース割り振りの間に構築されることを特徴とする先のいずれかの実施形態に記載の方法。
【００４２】
１５．前記共通制御部分は、前記ランダムアクセス割り振りのトランスポートフォーマット情報を含むことを特徴とする先のいずれかの実施形態に記載の方法。
【００４３】
１６．前記共通制御部分は、前記ＲＡＣＨ  Ｒｅｓｐｏｎｓｅデータ部分の周波数ホッピングパターンを含むことを特徴とする先のいずれかの実施形態に記載の方法。
【００４４】
１７．制御部分およびデータ部分を有するＲＡＣＨ（Ｒａｎｄｏｍ  Ａｃｃｅｓｓ  ＣＨａｎｎｅｌ：ランダムアクセスチャンネル）応答信号を受信するように構成された受信機であって、前記データ部分がランダムアクセス割り振りを搬送し、前記制御部分がランダムアクセス要求に対応するランダムアクセス割り振りに対する少なくとも１つのＲＡＣＨ応答に対応し、前記制御部分がＣＣＥ（Ｃｏｍｍｏｎ  Ｃｏｎｔｒｏｌ  Ｅｌｅｍｅｎｔ：共通制御要素）のセットを含み、少なくとも１つのＣＣＥは、前記データ部分中の前記ランダムアクセス割り振りに対応し、前記ＲＡＣＨ応答信号は、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）によるランダムアクセス要求に応答して受信される、受信機と、
前記ＲＡＣＨ応答信号のフォーマット符号を検出するように構成されたブラインド復号化器と
を備え、
前記ＷＴＲＵは、前記フォーマット符号に従って前記制御部分を検索し、前記ランダムアクセス割り振りに対応する前記少なくとも１つのＣＣＥを識別するように構成されたことを特徴とするＷＴＲＵ。
【００４５】
１８．前記検索することの開始位置は、予め定義されることを特徴とする実施形態１５に記載のＷＴＲＵ。
【００４６】
１９．前記ＣＣＥのセットは、ＣＣＥ−０〜ＣＣＥ−Ｎとして付番され、前記検索することの前記開始位置は、ＣＣＥ−０として予め定義されることを特徴とする実施形態１８に記載のＷＴＲＵ。
【００４７】
２０．前記受信機は、ブロードキャストチャンネル指示を介して前記制御部分の予め定義された開始位置を受信するように構成されたことを特徴とする実施形態１７〜１９のいずれか１つに記載のＷＴＲＵ。
【００４８】
２１．前記受信機は、ブロードキャストチャンネル指示を介して前記制御部分中にてＣＣＥ（Ｃｏｎｔｒｏｌ  Ｃｈａｎｎｅｌ  Ｅｌｅｍｅｎｔ：制御チャンネル要素）の最大数を示す予め定義された値を受信するように構成されたことを特徴とする実施形態１７〜２０のいずれか１つに記載のＷＴＲＵ。
【００４９】
２２．前記ブラインド復号化器は、前記少なくとも１つのＣＣＥを識別するために前記ＲＡＣＨ  Ｒｅｓｐｏｎｓｅ信号に関しブラインド復号化を行うように構成されたことを特徴とする実施形態１７〜２１のいずれか１つに記載のＷＴＲＵ。
【００５０】
２３．ＩＤ符号を用いて前記ＲＡＣＨ  Ｒｅｓｐｏｎｓｅ信号中の循環冗長符号をマスク解除するように構成された循環冗長符号マスク解除器をさらに備えたことを特徴とする実施形態１７〜２２のいずれか１つに記載のＷＴＲＵ。
【００５１】
２４．前記受信機は、各ＣＣＥに専用化された固定のリソース割り振りを受信するように構成されたことを特徴とする実施形態１７〜２３のいずれか１つに記載のＷＴＲＵ。
【００５２】
２５．前記受信機は、時間−周波数領域において拡散された前記リソース割り振りを受信するように構成されたことを特徴とする実施形態１７〜２４のいずれか１つに記載のＷＴＲＵ。
【００５３】
２６．前記リソース割り振りは、局所化されたことを特徴とする実施形態２５に記載のＷＴＲＵ。
【００５４】
２７．前記リソース割り振りは、分散されたことを特徴とする実施形態２５に記載のＷＴＲＵ。
【００５５】
２８．前記受信機は、ＲＡＣＨプリアンブルおよび専用化されたリソース割り振りの間の１対１の関連付けを認識するように構成されたことを特徴とする実施形態１７〜２７のいずれか１つに記載のＷＴＲＵ。
【００５６】
２９．前記受信機は、前記ランダムアクセス割り振りについて前記制御情報中のトランスポートフォーマット情報を受信するように構成されたことを特徴とする実施形態１７〜２８のいずれか１つに記載のＷＴＲＵ。
【００５７】
３０．前記受信機は、前記ＲＡＣＨ  Ｒｅｓｐｏｎｓｅデータ部分の周波数ホッピングパターンを受信するように構成され、前記周波数ホッピングパターンが前記制御部分中に含まれることを特徴とする実施形態１７〜２９のいずれか１つに記載のＷＴＲＵ。
【００５８】
特徴および要素が特定の組み合わせにおいて上で説明されているが、各特徴または要素は、他の特徴および要素なしで単独で、または他の特徴および要素のあるなしに拘わらず様々な組み合わせで使用することができる。ここに提供される方法またはフロー図は、汎用目的のコンピューターまたはプロセッサーによる実行のための、コンピューター読み取り可能な記憶媒体に組み込まれたコンピュータープログラム、ソフトウェア、またはファームウェアで実施することができる。コンピューター読み取り可能な記憶媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、レジスター、キャッシュメモリ、半導体メモリデバイス、内蔵ハードディスクおよびリムーバブルディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００５９】
適したプロセッサーの例としては、汎用目的プロセッサー、専用目的プロセッサー、従来のプロセッサー、ＤＳＰ（Ｄｉｇｉｔａｌ  Ｓｉｇｎａｌ  Ｐｒｏｃｅｓｓｏｒ：デジタル信号プロセッサー）、複数のマイクロプロセッサー、ＤＳＰコアに関連する１つまたは複数のマイクロプロセッサー、コントローラー、マイクロコントローラー、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の任意のタイプのＩＣ（Ｉｎｔｅｇｒａｔｅｄ  Ｃｉｒｃｕｉｔ：集積回路）、および／または状態マシンが含まれる。
【００６０】
ソフトウェアに関連付けられたプロセッサーは、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー機器）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワークコントローラー）、または任意のホストコンピューターにおける使用のための無線周波数送受信機を実施するために、使用することができる。ＷＴＲＵは、カメラ、ビデオカメラモジュール、テレビ電話、スピーカーフォン、振動デバイス、スピーカー、マイクロフォン、テレビ送受信機、ハンズフリーヘッドセット、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）ラジオユニット、ＬＣＤ（Ｌｉｑｕｉｄ  Ｃｒｙｓｔａｌ  Ｄｉｓｐｌａｙ：液晶表示）ディスプレイユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）ディスプレイユニット、デジタル音楽プレーヤー、メディアプレーヤー、テレビゲームプレーヤーモジュール、インターネットブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールもしくはＵＷＢ（Ｕｌｔｒａ  Ｗｉｄｅ  Ｂａｎｄ：超広帯域）モジュールなどの、ハードウェアおよび／またはソフトウェアで実施されたモジュールと共に使用することができる。
【図１】
0005531055.tif 000002
【図２】
0005531055.tif 000003
【図３】
0005531055.tif 000004
【図４】
0005531055.tif 000005